(57)【要約】【課題】上段の収集容器及びその内部の資源廃棄物の荷重が、その下枠部から下段の収集容器の上枠部に集中して加わらないようにする。【解決手段】第１の収集容器Ｂ１と、第１の収集容器Ｂ１の内部にその上面開口を超えないように入れられた資源廃棄物Ｒと、下枠部２が第１の収集容器Ｂ１の上枠部２の内側に入り込んで資源廃棄物Ｒの上に載るようにして、資源廃棄物Ｒの上に積み上げられた第２の収集容器Ｂ２と、第２の収集容器Ｂ２の内部に入れられた資源廃棄物Ｒとからなる収集資源廃棄物の仮置き構造を構築する。【選択図】図３
2014118223.tif 000002
【特許請求の範囲】
【請求項１】
四角下枠（１ａ）とそれを被覆する被覆シート（１ｂ）とからなる下枠部（１）と、四角上枠（２ａ）とそれを被覆する被覆シート（２ｂ）とからなる上枠部（２）と、四角下枠（１ａ）の角と四角上枠（２ａ）の角とを連結する支柱（３ａ）とそれを被覆する被覆シート（３ｂ）とからなる柱部（３）と、上枠部（２）の内側を除く前記各被覆シート（１ｂ，２ｂ，３ｂ）間に張設された張設シートからなる面部（４）と、上枠部（２）の内側に形成された上面開口（５）とからなる第１の収集容器（Ｂ１）と、
前記第１の収集容器（Ｂ１）の内部に上面開口を超えないように入れられた資源廃棄物（Ｒ）と、
四角下枠（１ａ）とそれを被覆する被覆シート（１ｂ）とからなる下枠部（１）と、四角上枠（２ａ）とそれを被覆する被覆シート（２ｂ）とからなる上枠部（２）と、四角下枠（１ａ）の角と四角上枠（２ａ）の角とを連結する支柱（３ａ）とそれを被覆する被覆シート（３ｂ）とからなる柱部（３）と、上枠部（２）の内側を除く前記各被覆シート（１ｂ，２ｂ，３ｂ）間に張設された張設シートからなる面部（４）と、上枠部（２）の内側に形成された上面開口（５）とからなり、該下枠部（１）が前記第１の収集容器（Ｂ１）の上枠部（２）の内側に入り込んで前記資源廃棄物（Ｒ）の上に載るようにして、前記資源廃棄物（Ｒ）の上に積み上げられた第２の収集容器（Ｂ２）と、
前記第２の収集容器（Ｂ２）の内部に入れられた資源廃棄物（Ｒ）とからなる収集資源廃棄物の仮置き構造。
【請求項２】
前記第２の収集容器（Ｂ２）の下枠部（１）の外縁が、前記第１の収集容器（Ｂ１）の上枠部（２）の内縁に接触していない請求項１記載の収集資源廃棄物の仮置き構造。
【請求項３】
請求項１又は２に記載の収集資源廃棄物の仮置き構造の第１の収集容器（Ｂ１）又は第２の収集容器（Ｂ２）として使用する収集容器であって、
四角下枠（１ａ）とそれを被覆する被覆シート（１ｂ）とからなる下枠部（１）と、四角上枠（２ａ）とそれを被覆する被覆シート（２ｂ）とからなる上枠部（２）と、四角下枠（１ａ）の角と四角上枠（２ａ）の角とを連結する支柱（３ａ）とそれを被覆する被覆シート（３ｂ）とからなる柱部（３）と、上枠部（２）の内側を除く前記各被覆シート（１ｂ，２ｂ，３ｂ）間に張設された張設シートからなる面部（４）と、上枠部（２）の内側に形成された上面開口（５）とからなり、下枠部（１ａ）の外縁寸法が上枠部（２ａ）の内縁寸法よりも４〜１０ｃｍ小さく形成された資源廃棄物の収集容器。
【発明の詳細な説明】
【技術分野】
【０００１】
本発明は、空き缶、ビン、ペットボトル等の資源廃棄物を収集するための収集容器、及びその収集した資源廃棄物を仮置きするための仮置き構造に関する。
【背景技術】
【０００２】
資源廃棄物の収集容器の中には、図６（ａ）に示す従来例の収集容器Ｂｏのように、四角下枠１１とそれを被覆する被覆シート１２とからなる下枠部１０と、四角上枠２１とそれを被覆する被覆シート２２とからなる上枠部２０と、四角下枠１１の角と四角上枠２１の角とを連結する支柱３１とそれを被覆する被覆シート３２とからなる柱部３０と、上枠部２０の内側を除く前記各被覆シート１１，２１，３１間に張設された張設シートからなる面部４０と、上枠部２０の内側に形成された上面開口５０とからなるものがある（例えば、特許文献１）。
【先行技術文献】
【特許文献】
【０００３】
【特許文献１】特開２００９−２５５９３９公報
【発明の概要】
【発明が解決しようとする課題】
【０００４】
このような収集容器Ｂｏの内部に資源廃棄物Ｒ，Ｒ・・が投入されて、図６（ｂ）に示すように、収集容器Ｂｏの内部が資源廃棄物Ｒ，Ｒ・・で満杯になった際には、複数の収集容器Ｂｏ，Ｂｏ・・を一箇所に集めて仮置きしてから、後日それらの内部の資源廃棄物Ｒ，Ｒ・・をまとめて回収することがある。しかし、その際に収集容器Ｂｏ，Ｂｏ・・を仮置きするスペースが不足することがある。そのため、図７に示すように、満杯になった一の収集容器Ｂｏ（Ｂｏ１）の上枠部２０の上に、満杯になった他の収集容器Ｂｏ（Ｂｏ２）の下枠部１０を載せて積み上げて２段積にして仮置きすることもあった。
【０００５】
しかしながら、このように積み上げた場合には、図８に示すように、上段の収集容器Ｂｏ２及びその内部の資源廃棄物Ｒ，Ｒ・・の荷重が、その下枠部１０から下段の収集容器Ｂｏ１の上枠部２０に集中して加わるため、上段の収集容器Ｂｏ２の下枠部１０と下段の収集容器Ｂｏ１の上枠部２０とが強く擦れ易く、そのため、両者の被覆シート１２，２２が破れ易い。また、上段の荷重が、下段の収集容器Ｂｏ１の上枠部２０から４本の柱部３０，３０・・に伝わることで、４本の柱部３０，３０・・にも荷重が集中し易く、そのため、支柱折れも発生し易い。
【０００６】
そこで、本発明者は、上記のような収集容器Ｂｏにおいて、上段の収集容器Ｂｏ２の下枠部１０に廃タイヤの断片等からなるパッドを取り付けることを考えた。そのパッドによれば、上段の収集容器Ｂｏ２の下枠部１０と下段の収集容器Ｂｏ１の上枠部２０との間の擦れを低減して両者の被覆シート１２，２２を破れ難くすることができたが、そのようなパッドの取付は、手間もコストもかかるため、本発明者は、そのようなパッドなしでも破れ難くすることができればより好ましいと考えた。また、そのパッドによっても、上記の支柱折れの問題については解決することができない。
【０００７】
そこで、上段の収集容器及びその内部の資源廃棄物の荷重が、その下枠部から下段の収集容器の上枠部に集中して加わらないようにして、上段の収集容器の下枠部及び下段の収集容器の上枠部の被覆シートを破れ難くするとともに、下段の収集容器の支柱折れを発生し難くすることを目的とする。
【課題を解決するための手段】
【０００８】
上記目的を達成するため、本発明の収集資源廃棄物の仮置き構造は、四角下枠とそれを被覆する被覆シートとからなる下枠部と、四角上枠とそれを被覆する被覆シートとからなる上枠部と、四角下枠の角と四角上枠の角とを連結する支柱とそれを被覆する被覆シートとからなる柱部と、上枠部の内側を除く前記各被覆シート間に張設された張設シートからなる面部と、上枠部の内側に形成された上面開口とからなる第１の収集容器と、前記第１の収集容器の内部に上面開口を超えないように入れられた資源廃棄物と、四角下枠とそれを被覆する被覆シートとからなる下枠部と、四角上枠とそれを被覆する被覆シートとからなる上枠部と、四角下枠の角と四角上枠の角とを連結する支柱とそれを被覆する被覆シートとからなる柱部と、上枠部の内側を除く前記各被覆シート間に張設された張設シートからなる面部と、上枠部の内側に形成された上面開口とからなり、該下枠部が前記第１の収集容器の上枠部の内側に入り込んで前記資源廃棄物の上に載るようにして、前記資源廃棄物の上に積み上げられた第２の収集容器と、前記第２の収集容器の内部に入れられた資源廃棄物とからなる。
【０００９】
このような仮置き構造にすれば、上段の第２の収集容器の下枠部が、下段の第１の収集容器の上枠部の上にではなくその内側の資源廃棄物の上に載るため、上段の荷重が、下段の第１の収集容器の上枠部に集中してではなく、その内側の資源廃棄物の上面部全体に分散して加わるようになるからである。
【００１０】
ここで、前記第２の収集容器の下枠部の外縁は、前記第１の収集容器の上枠部の内縁に接触していないことが好ましい。シートがより破れ難くなるとともに、上段の荷重が下段の柱部により加わり難くなるからであるからである。また、前記第１の収集容器と前記第２の収集容器とは、異なる形状又は異なるサイズの収集容器であってもよいが、同一形状かつ同一サイズの収集容器であることが好ましい。仮置き構造を単純化できるとともに、コストを削減できるからである。
【００１１】
本発明の収集資源廃棄物の仮置き構造の第１の収集容器又は第２の収集容器として使用する収集容器は、特に限定されないが、四角下枠とそれを被覆する被覆シートとからなる下枠部と、四角上枠とそれを被覆する被覆シートとからなる上枠部と、四角下枠の角と四角上枠の角とを連結する支柱とそれを被覆する被覆シートとからなる柱部と、上枠部の内側を除く前記各被覆シート間に張設された張設シートからなる面部と、上枠部の内側に形成された上面開口とからなり、下枠部の外縁寸法が上枠部の内縁寸法よりも４〜１０ｃｍ小さく形成されていることが好ましい。下枠部の外縁寸法が上枠部の内縁寸法よりも４〜１０ｃｍ小さいとは、例えば、下枠部及び上枠部が正方形の場合は、下枠部の外縁の各辺長さが上枠部の内縁の各辺長さよりも４〜１０ｃｍ小さいことを意味し、長方形の場合は、下枠部の外縁の長辺長さが上枠部の内縁の長辺長さよりも４〜１０ｃｍ小さく、かつ、下枠部の外縁の短辺長さが上枠部の内縁の短辺長さよりも４〜１０ｃｍ小さいことを意味する。
【００１２】
ここで、下枠部の外縁寸法が上枠部の内縁寸法よりも４ｃｍ以上の範囲内で小さいのが好ましいのは、下枠部がそれよりも大きいと、同一の収集容器を２段積にする際に、下段の収集容器の上枠部の内側に上段の収集容器の下枠部を入り込ませ難くなったり、上段の収集容器の下枠部の外縁が下段の収集容器の上枠部の内縁に接し易くなったり、２段積にしたのを降す際に下段の収集容器の上枠部の内側から上段の収集容器の下枠部を抜き難くなるおそれがあるからである。また、下枠部の外縁寸法が上枠部の内縁寸法よりも１０ｃｍ以下の範囲内で小さいのが好ましいのは、下枠部がそれ以上小さいと、収集容器の安定性が悪くなったり、収集容器の容量が極端に減るおそれがあるからである。
【００１３】
前記下枠部及び前記上枠部の大きさは、特に限定されないが、上枠部としては、例えば、外縁寸法が５０ｃｍで内縁寸法が４８ｃｍのもの、外縁寸法が６０ｃｍで内縁寸法が５８ｃｍのもの、外縁寸法が７０ｃｍで内縁寸法が６８ｃｍのもの、外縁寸法が８０ｃｍで内縁寸法が７８ｃｍのもの、外縁寸法が９０ｃｍで内縁寸法が８８ｃｍのものが例示でき、そのいずれの場合においても、その内縁寸法よりも下枠部の外縁寸法の方が４〜１０ｃｍ小さければ、上記の効果を得ることができる。
【発明の効果】
【００１４】
本発明によれば、上段の荷重が、下段の第１の収集容器の上枠部に集中してではなく、その内側の資源廃棄物の上面部全体に分散して加わるため、従来例のように、上段の第２の収集容器の下枠部と下段の第１の収集容器の上枠部とが強く擦れることがなく、よって、該下枠部及び上枠部の被覆シートが破れ難い。また、上段の荷重が下段の第１の収集容器の上枠部に加わらないため、該上枠部から柱部に上段の荷重が伝わることもなく、よって、下段の第１の収集容器で支柱折れが発生し難い。
【図面の簡単な説明】
【００１５】
【図１】（ａ）は実施例の収集容器を示す斜視図、（ｂ）はその収集容器に資源廃棄物を投入したときを示す斜視図である。
【図２】実施例の収集容器を捩り倒して積み重ねる手順を（ａ）〜（ｄ）に示す斜視図である。
【図３】実施例の収集容器を２段に積み上げたときを示す斜視図である。
【図４】実施例の収集容器を２段に積み上げたときを示す正面断面図である。
【図５】実施例の収集容器を空の状態で積み重ねたときを示す斜視図である。
【図６】（ａ）は従来例の収集容器を示す斜視図、（ｂ）はその収集容器に資源廃棄物を投入したときを示す斜視図である。
【図７】従来例の収集容器を２段に積み上げたときを示す斜視図である。
【図８】従来例の収集容器を２段に積み上げたときを示す正面断面図である。
【発明を実施するための形態】
【００１６】
本発明の仮置き構造の具体的な態様は、特に限定されないが、次の［１］〜［４］の態様を例示する。
［１］下段の第１の収集容器に本発明の収集容器（下枠部の外縁寸法が上枠部の内縁寸法よりも４〜１０ｃｍ小さい収集容器をいう。以下同じ。）を使用し、上段の第２の収集容器にも別の本発明の収集容器を使用する態様。
［２］下段の第１の収集容器には従来の収集容器（下枠部の寸法と上枠部の寸法とが同じ収集容器をいう。以下同じ。）を使用し、上段の第２の収集容器に本発明の収集容器を使用する態様。
［３］下段の第１の収集容器に本発明の収集容器を使用し、上段の第２の収集容器には従来の収集容器を使用する態様。
［４］下段の第１の収集容器には従来の収集容器を使用し、上段の第２の収集容器にはそれよりも小さい従来の収集容器を使用する態様。
【００１７】
但し、仮置き構造の単純化及びコスト削減等の観点からは、［１］の態様を採用するとともに、下段の第１の収集容器と上段の第２の収集容器とを、同一形状かつ同一サイズにすることが好ましい。
【００１８】
前記四角上枠及び四角下枠の各四角枠の４角は、折り曲げ不能に固定されていてもよいが、関節部で折り曲げ可能に繋ぎ合わされていることが好ましい。収納容器を折り畳み可能に構成することができるからである。また、各四角枠及び前記支柱の材質は、特に限定されないが、樹脂、金属、木材等を例示する。
【００１９】
前記被覆シート及び張設シートは、特に限定されないが、孔を有しない面状のシート、孔を有する面状のシート、網状のシート等を例示する。また、前記被覆シート及び張設シートの材質は、特に限定されないが、樹脂、織布、金属等を例示する。
【実施例】
【００２０】
図１〜図４に示す実施例１の収集容器Ｂは、上方から下方に向かうに従い水平方向の面積が小さくなるテーパー形状の容器であって、次に示す、下枠部１と上枠部２と柱部３，３・・と面部４，４・・と上面開口５とからなる。
【００２１】
下枠部１は、四角下枠１ａとそれを被覆する被覆シート１ｂとからなる。また、上枠部２は、四角上枠２ａとそれを被覆する被覆シート２ｂとからなる。上枠部２の外縁寸法は５０〜９０ｃｍ程度で内縁寸法はそれよりも２ｃｍ程度小さく、下枠部１の外縁寸法は上枠部２の内縁寸法よりも４〜１０ｃｍ程度小さくなっている。よって、例えば、上枠部２が正方形で外縁の各辺長さが９０ｃｍで内縁の各辺長さが８８ｃｍの場合には、下枠部１も正方形（長方形でも可）で外縁の各辺長さは７８〜８４ｃｍである。四角下枠１ａ及び四角上枠２ａの各四角枠は、４本の樹脂製の枠辺が４角の関節部で繋ぎ合わされることにより、四角形に組まれてなる。下枠部１及び上枠部２の被覆シート１ｂ，２ｂは、樹脂製のシートである。
【００２２】
柱部３，３・・は、四角下枠１ａの角の関節部と四角上枠２ａの角の関節部とを連結する樹脂製の支柱３ａとそれを被覆する樹脂製の被覆シート３ｂとからなる。面部４，４・・は、上枠部２の内側を除く各被覆シート１ｂ，２ｂ，３ｂ間に張設された樹脂製の張設シートからなる。上面開口５は、上枠部２の内側に形成された四角形の開口である。
【００２３】
この収集容器Ｂは、折り畳み可能に構成されており、不使用時には、図２（ａ）に示すように、上面開口５が横になるように倒してから、図２（ｂ）に示すように、その状態で上面になる面部４を下面になる面部４に対して時計回りに捩ることによって、図２（ｃ）に示すように、下枠部１の２本の枠辺及び上枠部２の２本の枠辺を水平方向に倒して収集容器Ｂ全体を平面状に折り畳むことができる。そのため、不使用時には、図２（ｄ）に示すように、複数の収集容器Ｂ，Ｂ・・を折り畳んでから積み重ねることで、それらをコンパクトに収納することができる。
【００２４】
次に、同一形状かつ同一サイズの本実施例の収集容器Ｂを２つ（Ｂ１，Ｂ２）使用して資源廃棄物Ｒ，Ｒ・・を収集するとともに、収集した資源廃棄物Ｒ，Ｒ・・を仮置きする際の手順を以下に説明する。各収集容器Ｂは公園等の所定の設置場所に設置される。そして、各収集容器Ｂの内部に資源廃棄物Ｒ，Ｒ・・が投入される。そして、図１（ｂ）に示すように、収集容器Ｂの内部が満杯になった際には、図３，図４に示すように、第１の収集容器Ｂ１の内部の資源廃棄物Ｒ，Ｒ・・の上に第２の収集容器Ｂ２を積み上げる。このとき、上段の第２の収集容器Ｂ２の下枠部１が下段の第１の収集容器Ｂ１の上枠部２の内側に入り込むようにする。そして、上段の第２の収集容器Ｂ２の下部の外側面は、下段の第１の収集容器Ｂ１の上部の内側面に接触しないようにする。
【００２５】
本実施例によれば、上段の第２の収集容器Ｂ２の下枠部１が、下段の第１の収集容器Ｂ１の上枠部２０の上にではなくその内側の資源廃棄物Ｒ，Ｒ・・の上に載るため、上段の第２の収集容器Ｂ２及びその内部の資源廃棄物Ｒ，Ｒ・・の荷重が、従来例のように、下段の第１の収集容器Ｂ１の上枠部２に集中してではなく、図４に矢印で示すように、その内側の資源廃棄物Ｒ，Ｒ・・の上面部全体に分散して加わるようになる。そのため、従来例のように、上段の収集容器Ｂ２の下枠部１と下段の第１の収集容器Ｂ１の上枠部２とが強く擦れることがなく、よって、該下枠部１及び上枠部２の被覆シート１ｂ，２ｂが破れ難い。また、上段の荷重が下段の第１の収集容器Ｂ１の上枠部２に加わらないため、該上枠部２から柱部３，３・・に上段の荷重が伝わることもなく、よって、下段の第１の収集容器Ｂ１で支柱折れが発生し難い。
【００２６】
また、複数の空の収集容器Ｂ，Ｂ・・を一時的に保管するとき等には、組み立てたままでも、図５に示すように、一の収集容器Ｂの内側に他の収集容器Ｂの下部を上方から入れ込む形で、積み重ねることができる。
【００２７】
なお、本発明は前記実施例に限定されるものではなく、発明の趣旨から逸脱しない範囲で適宜変更して具体化することもできる。
【符号の説明】
【００２８】
Ｂ１  第１の収集容器
Ｂ２  第２の収集容器
１    下枠
１ａ  四角下枠
１ｂ  被覆シート
２    上枠
２ａ  四角上枠
２ｂ  被覆シート
３    柱部
３ａ  支柱
３ｂ  被覆シート
４    面部
５    上面開口
【図１】
2014118223.tif 000003
【図２】
2014118223.tif 000004
【図３】
2014118223.tif 000005
【図４】
2014118223.tif 000006
【図５】
2014118223.tif 000007
【図６】
2014118223.tif 000008
【図７】
2014118223.tif 000009
【図８】
2014118223.tif 000010